(57)【要約】【課題】  構造が簡単で低コストな空気式放射空調機を得る。【解決手段】  放射ユニット（Ｒ）と、空調用空気を熱交換する熱交換器（２０）と、空調用空気を放射ユニット（Ｒ）に送るファン（２１）と、を備える。放射ユニット（Ｒ）が、空調用空気が流れる第１チャンバ部（１）と、第１チャンバ部（１）から入った空調用空気を被空調空間（Ｓ）に出しつつ空調用空気の熱を放射する第２チャンバ部（２）と、第１チャンバ部（１）から第２チャンバ部（２）に出る空調用空気の風速及び分布を調節する気流調節部（３）と、を備える。気流調節部（３）が、空調用空気を第２チャンバ部（２）に出す第１貫孔（４）の群を備える。第２チャンバ部（２）が、空調用空気を被空調空間（Ｓ）に出す第２貫孔（５）の群を備える。第２貫孔（５）の群の開口面積を第１貫孔（４）の群の開口面積よりも大きく設定する。【選択図】図３
2020041749.tif 000002
【特許請求の範囲】
【請求項１】
放射ユニット（Ｒ）と、空調用空気を熱交換する熱交換器（２０）と、前記空調用空気を前記放射ユニット（Ｒ）に送るファン（２１）と、を備え、
前記放射ユニット（Ｒ）が、前記空調用空気が流れる第１チャンバ部（１）と、前記第１チャンバ部（１）から入った前記空調用空気を被空調空間（Ｓ）に出しつつ前記空調用空気の熱を放射する第２チャンバ部（２）と、前記第１チャンバ部（１）から前記第２チャンバ部（２）に出る前記空調用空気の風速及び分布を調節する気流調節部（３）と、を備えたことを特徴とする空気式放射空調機。
【請求項２】
前記気流調節部（３）が、前記空調用空気を前記第２チャンバ部（２）に出す第１貫孔（４）の群を備え、前記第２チャンバ部（２）が、前記空調用空気を前記被空調空間（Ｓ）に出す第２貫孔（５）の群を備え、前記第２貫孔（５）の群の開口面積を前記第１貫孔（４）の群の開口面積よりも大きく設定した請求項１に記載の空気式放射空調機。
【請求項３】
前記気流調節部（３）が、前記空調用空気を前記第２チャンバ部（２）に出す第３貫孔（１５）と、前記第３貫孔（１５）に配置されるガイド部（１６）と、前記空調用空気が通過する前記ガイド部（１６）と前記第３貫孔（１５）近辺との隙間であってこの断面積が風上側から風下側に向かって広がる通風路（１７）と、を備えた請求項１に記載の空気式放射空調機。
【請求項４】
前記ガイド部（１６）が、前記第３貫孔（１５）の全内周面又は一部内周面に対して隙間をあけて配置されるノーズ部（１８）と、前記ノーズ部（１８）の風下部から風下に向かって互いに離れるように広がって前記ノーズ部（１８）と前記第３貫孔（１５）との隙間から流れ出た前記空調用空気の進行方向を変えるフラップ部（１９）と、を備えた請求項３に記載の空気式放射空調機。
【請求項５】
前記第１チャンバ部（１）の前記空調用空気が通過する断面積を、風上側から風下側に向かって狭めた請求項１から４のいずれかに記載の空気式放射空調機。
【請求項６】
前記第２チャンバ部（２）が、前記空調用空気が通る隙間をあけて配置されると共に前記空調用空気の熱を蓄めて放射するプレート（６）の群にて構成された蓄熱部（９）を、備えた請求項１から５のいずれかに記載の空気式放射空調機。
【請求項７】
前記第２チャンバ部（２）の前記被空調空間（Ｓ）に面する部分を、波形に形成した請求項１から６のいずれかに記載の空気式放射空調機。
【発明の詳細な説明】
【技術分野】
【０００１】
本発明は空気式放射空調機に関するものである。
【背景技術】
【０００２】
特開２０１１−１４５０４５号公報に示す空気式放射空調機は、熱交換器で冷却又は加熱した空気が噴流するように設けられた空気供給部と、空気供給部から出た噴流空気の誘引作用にて被空調空間の空気を引き込むように設けられた空気誘引部と、空気供給部の噴流空気と空気誘引部の誘引空気との混合空気を被空調空間へ放出しかつ混合空気の熱を被空調空間へ放射するように設けられた空気混合部と、を備えている。この構造で生じる放射作用と誘引再熱作用にて、ドラフト感や温度ムラのない快適空調を行える。
【先行技術文献】
【特許文献】
【０００３】
【特許文献１】特開２０１１−１４５０４５号公報
【発明の概要】
【発明が解決しようとする課題】
【０００４】
このように空気式放射空調機は快適空間をつくる一助となっているが、構造が複雑でコスト高となる問題があった。
【課題を解決するための手段】
【０００５】
本発明は上記課題を解決するため、放射ユニットと、空調用空気を熱交換する熱交換器と、前記空調用空気を前記放射ユニットに送るファンと、を備え、前記放射ユニットが、前記空調用空気が流れる第１チャンバ部と、前記第１チャンバ部から入った前記空調用空気を被空調空間に出しつつ前記空調用空気の熱を放射する第２チャンバ部と、前記第１チャンバ部から前記第２チャンバ部に出る前記空調用空気の風速及び分布を調節する気流調節部と、を備えたことを最も主要な特徴とする。
【発明の効果】
【０００６】
請求項１の発明によれば、２つのチャンバ部及び気流調節部を備えた簡単な構造なのでコストダウンでき、軽量化を図れて施工やメンテナンスが容易となる。気流調節部によって空調用空気の風速及び分布を調節して、第２チャンバ部の空調用空気の風量分布、ひいては被空調空間への空調用空気の放出と放射を均等化できる。
請求項２の発明によれば、第２貫孔群の開口面積を第１貫孔群の開口面積よりも大きくすることで、２段階で静圧を高めながら徐々に風速を落として、第１チャンバ部と第２チャンバ部の空間全体に空調用空気を行き渡らせることができる。そのため、被空調空間への空調用空気の放出と放射を均等化でき、ドラフト感や温度ムラのない快適空調を行える。２つのチャンバ部に貫孔群を形成する簡単な構造なのでコストダウンでき、軽量化を図れて施工やメンテナンスが容易となる。
【０００７】
請求項３の発明によれば、気流調節部の通風路が風上側から風下側に向かって広がっているので、空調用空気の風速を落としながら拡散させて第２チャンバ部の空間全体に空調用空気を行き渡らせることができる。そのため、被空調空間への空調用空気の放出と放射を均等化でき、ドラフト感や温度ムラのない快適空調を行える。
請求項４の発明によれば、気流調節部の第３貫孔の全内周面に対して隙間をあけてノーズ部を配置することにより、ノーズ部と貫孔との隙間から流れ出た空調用空気をフラップ部によって互いに離れる方向に偏らずに流すことができる。また、気流調節部の第３貫孔の一部内周面に対して隙間をあけてノーズ部を配置することにより、ノーズ部と貫孔との隙間から流れ出た空調用空気をフラップ部によって同一方向に偏って流すことができる。このようにノーズ部の配置を変えることで、第２チャンバ部の内部形状に応じて空調用空気の風量分布を自由に調節できる。
【０００８】
請求項５の発明によれば、第１チャンバ部が風上側から風下側に向かって狭めてあるので、空調用空気の風速が風上側から風下側に向かって高まって、第１チャンバ部と第２チャンバ部の空間全体に空調用空気を行き渡らせることができる。そのため、被空調空間への空調用空気の放出と放射を均等化でき、ドラフト感や温度ムラのない快適空調を行える。
請求項６の発明によれば、蓄熱部を、空調用空気の蓄熱と整流に兼用でき、熱放射能力が向上し風量ムラと温度ムラを確実に減らせる。
請求項７の発明によれば、第２チャンバ部の被空調空間に面する部分が波板形状なので放射面積が拡大し、放射能力の向上を一層図れる。
【図面の簡単な説明】
【０００９】
【図１】本発明の空気式放射空調機の底面側斜視図である。（実施例１）
【図２】図１に示す空気式放射空調機の底面図である。
【図３】図２に示す空気式放射空調機のＡ−Ａ断面図である。
【図４】図３に示す空気式放射空調機のＢ−Ｂ断面図である。
【図５】図３に示す空気式放射空調機のＣ−Ｃ断面図である。
【図６】他の空気式放射空調機の底面図である。（実施例２）
【図７】図６に示す空気式放射空調機のＤ−Ｄ断面図である。
【図８】図７に示す空気式放射空調機のＥ−Ｅ断面図である。
【図９】図７に示す空気式放射空調機の気流調節部の底面側斜視図である。
【図１０】図７に示す空気式放射空調機の気流調節部の一例を示す拡大断面図である。
【図１１】図７に示す空気式放射空調機の気流調節部の他の例を示す拡大断面図である。
【図１２】空気式放射空調機の変形例を示す底面図である。（実施例３）
【図１３】図１２に示す空気式放射空調機の第２チャンバ部のＦ−Ｆ断面図である。
【発明を実施するための形態】
【実施例１】
【００１０】
図１から図５は、本発明の空気式放射空調機の第１の実施例を示している。この空気式放射空調機は、放射ユニットＲと、外気、還気その他の空調用空気を熱交換する熱交換器２０と、空調用空気を放射ユニットＲに送るファン２１と、ドレンパン２２と、ケーシング２３と、を備えている。各図の太い点線の矢印は空調用空気の流れる方向を示す。
【００１１】
放射ユニットＲは、空調用空気が流れる第１チャンバ部１と、第１チャンバ部１から入った空調用空気を室内などの被空調空間Ｓに出しつつ空調用空気の熱を放射する第２チャンバ部２と、第１チャンバ部１から第２チャンバ部２に出る空調用空気の風速及び分布を調節する気流調節部３と、を備えている。
【００１２】
本発明の空気式放射空調機は、第２チャンバ部２の底面を被空調空間Ｓに向けた状態で、被空調空間Ｓの天井等に設置する。熱交換器２０、ファン２１及び第１チャンバ部１は、ケーシング２３の内部に設ける。ケーシング２３は、天井チャンバＴや図示省略のダクト等を介して被空調空間Ｓの空気（還気）を取入れる還気入口部１１と、外気を取入れる外気入口部１２と、を有している。外気取入口１２は、ダクト１３を介して屋外に接続する。
【００１３】
熱交換器２０は、冷水又は温水で空調用空気を熱交換するタイプ、冷媒で空調用空気を熱交換するタイプ、その他のタイプのものが利用可能である。熱交換器２０は、伝熱板の群に図示省略の伝熱管の群を挿着して成り、伝熱管群及び伝熱板群を介して、伝熱管群内を流れる水や冷媒等と空調用空気が熱交換される。伝熱管は、外周を楕円形にするのが好ましいが円形でもよい。
【００１４】
気流調節部３は、空調用空気を第２チャンバ部２に出す第１貫孔４の群を備え、第２チャンバ部２は、空調用空気を被空調空間Ｓに出す第２貫孔５の群を備えている。第１チャンバ部１は、第２チャンバ部２に接して第２チャンバ部２に空調用空気を出す平板形状の第１通気部７を、備えている。この第１通気部７に第１貫孔４の群を形成する。第１チャンバ部１の空調用空気が通過する断面積（図４の切断面と平行な方向の面積）は、風上側から風下側に向かって狭める。
【００１５】
第２チャンバ部２は、被空調空間Ｓに接して被空調空間Ｓに空調用空気を出す平板形状の第２通気部８と、蓄熱部９と、第２通気部８及び蓄熱部９を取付ける鍔付の枠体１０と、を備えている。この第２通気部８に第２貫孔５の群を形成する。第２貫孔５の群の開口面積は第１貫孔４の群の開口面積よりも大きく設定する。第１貫孔４と第２貫孔５の形状は、真円、楕円、長穴、細溝など各種の形状に変更するも自由である。
【００１６】
蓄熱部９は、空調用空気が通る隙間をあけて配置されると共に空調用空気の熱を蓄めて放射するプレート６の群にて構成する。プレート６と第２通気部８は、熱伝達及び熱放射率が高いアルミ等を用いる。このプレート６の群を空調用空気が分流拡散しながら整流状に通過して第２通気部８の第２貫孔５から被空調空間Ｓへ出る。空調用空気の熱はプレート６の群と第２通気部８に熱伝達し、第２貫孔５の群を通してプレート６の群から、及び、第２通気部８から、被空調空間Ｓへ放射される。
【００１７】
第１チャンバ部１及び第２チャンバ部２は、厚みが薄い箱形に形成し、厚みの方向へ第１チャンバ部１と第２チャンバ部２を隣り合わせて設ける。図例では、第１チャンバ部１と第２チャンバ部２は長方形の扁平形状としたが細長、真四角、丸など各種の扁平形状に変更するも自由である。
【実施例２】
【００１８】
図６から図１１は、本発明の空気式放射空調機の第２の実施例を示している。この実施例では、気流調節部３が、空調用空気を第２チャンバ部２に出す第３貫孔１５と、第３貫孔１５に配置されるガイド部１６と、通風路１７と、を備えている。第３貫孔１５は、第１通気部７に形成する。通風路１７は、空調用空気が通過するガイド部１６と第３貫孔１５近辺（第３貫孔１５及び第１通気部７）との隙間で構成する。この隙間の断面積（図１０の切断面と平行な方向の面積）は風上側から風下側に向かって広げる。
【００１９】
ガイド部１６は、第３貫孔１５の全内周面又は一部内周面に対して隙間をあけて配置されるノーズ部１８と、ノーズ部１８の風下部から風下に向かって互いに離れるように広がってノーズ部１８と第３貫孔１５との隙間から流れ出た空調用空気の進行方向を変えるフラップ部１９と、を備えている。
【００２０】
図１０は、ノーズ部１８を第３貫孔１５の全内周面に対して隙間をあけて配置した例を示し、図１１は、ノーズ部１８を第３貫孔１５の一部内周面に対して隙間をあけて配置した例を示している。第３貫孔１５、ガイド部１６及び通風路１７の数は、設定風量や設定風速に応じて増減させる。図例では、第３貫孔１５、ガイド部１６及び通風路１７は製作が容易なように細長形状としているが、真四角、丸など各種形状に変更するも自由である。その他の構成は、前記第１の実施例と同様であるので説明を省略する。
【実施例３】
【００２１】
図１２と図１３は、本発明の空気式放射空調機の第３の実施例を示している。この実施例では、第２チャンバ部２の被空調空間Ｓに面する部分である第２通気部８を、波形に形成している。波板形状の傾斜角度や高さ、凹凸の数の変更は自由である。その他の構成は前記第１及び第２の実施例と同様であるので説明を省略する。
【符号の説明】
【００２２】
１  第１チャンバ部
２  第２チャンバ部
４  第１貫孔
５  第２貫孔
６  プレート
９  蓄熱部
１５  第３貫孔
１６  ガイド部
１７  通風路
１８  ノーズ部
１９  フラップ部
２０  熱交換器
２１  ファン
Ｒ  放射ユニット
Ｓ  被空調空間
【図１】
2020041749.tif 000003
【図２】
2020041749.tif 000004
【図３】
2020041749.tif 000005
【図４】
2020041749.tif 000006
【図５】
2020041749.tif 000007
【図６】
2020041749.tif 000008
【図７】
2020041749.tif 000009
【図８】
2020041749.tif 000010
【図９】
2020041749.tif 000011
【図１０】
2020041749.tif 000012
【図１１】
2020041749.tif 000013
【図１２】
2020041749.tif 000014
【図１３】
2020041749.tif 000015
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
空調用空気が流れる第１チャンバ部（１）と、前記第１チャンバ部（１）を重ねるように隣り合わせて設けた第２チャンバ部（２）と、前記空調用空気を熱交換する熱交換器（２０）と、前記空調用空気を前記第１チャンバ部（１）に送るファン（２１）と、前記熱交換器（２０）と前記ファン（２１）と前記第１チャンバ部（１）を内部に設けたケーシング（２３）と、を備え、
前記第１チャンバ部（１）が、前記空調用空気を前記第２チャンバ部（２）に出す第１貫孔（４）の群を備え、
前記第２チャンバ部（２）が、前記空調用空気を前記被空調空間（Ｓ）に出す第２貫孔（５）の群と、蓄熱部（９）と、を備え、
前記第２貫孔（５）の群の開口面積を前記第１貫孔（４）の群の開口面積よりも大きく設定し、
前記蓄熱部（９）が、前記空調用空気が通る隙間をあけて配置されると共に前記空調用空気を分流拡散させながら整流状に通過させて前記第２貫孔（５）から前記被空調空間（Ｓ）へ出させかつ前記空調用空気の熱を蓄めて前記第２貫孔（５）から前記被空調空間（Ｓ）へ放射するプレート（６）の群を、備えたことを特徴とする空気式放射空調機。
【手続補正２】
【補正対象書類名】明細書
【補正対象項目名】０００５
【補正方法】変更
【補正の内容】
【０００５】
本発明は上記課題を解決するため、空調用空気が流れる第１チャンバ部と、前記第１チャンバ部を重ねるように隣り合わせて設けた第２チャンバ部と、前記空調用空気を熱交換する熱交換器と、前記空調用空気を前記第１チャンバ部に送るファンと、前記熱交換器と前記ファンと前記第１チャンバ部を内部に設けたケーシングと、を備え、前記第１チャンバ部が、前記空調用空気を前記第２チャンバ部に出す第１貫孔の群を備え、前記第２チャンバ部が、前記空調用空気を前記被空調空間に出す第２貫孔の群と、蓄熱部と、を備え、前記第２貫孔の群の開口面積を前記第１貫孔の群の開口面積よりも大きく設定し、前記蓄熱部が、前記空調用空気が通る隙間をあけて配置されると共に前記空調用空気を分流拡散させながら整流状に通過させて前記第２貫孔から前記被空調空間へ出させかつ前記空調用空気の熱を蓄めて前記第２貫孔から前記被空調空間へ放射するプレートの群を、備えたことを最も主要な特徴とする。
【手続補正３】
【補正対象書類名】明細書
【補正対象項目名】０００６
【補正方法】変更
【補正の内容】
【０００６】
請求項１の発明によれば、蓄熱部を含む２つのチャンバ部を備え、かつ、２つのチャンバ部に貫孔群を形成する簡単な構造なのでコストダウンでき、軽量化を図れて施工やメンテナンスが容易となる。第２貫孔群の開口面積を第１貫孔群の開口面積よりも大きくすることで、２段階で静圧を高めながら徐々に風速を落として、第１チャンバ部と第２チャンバ部の空間全体に空調用空気を行き渡らせることができる。そのため、被空調空間への空調用空気の放出と放射を均等化でき、ドラフト感や温度ムラのない快適空調を行える。蓄熱部を、空調用空気の蓄熱と整流に兼用でき、熱放射能力が向上し風量ムラと温度ムラを確実に減らせる。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】図面
【補正対象項目名】図２
【補正方法】変更
【補正の内容】
【図２】
2020041749.tif 000016